(57)【要約】      （修正有）【課題】口腔内の歯が急に抜けた場合等であっても、歯並びに対する審美を一時的に回復させる一時的審美回復用具を提供する。【解決手段】一時的審美回復用具１０は、ゴムシート１と複数のゴムバンド２より成る。ゴムシート１は、その正面視に於いて歯型形状の外縁を有する表面１ＳＳと、表面１ＳＳに対向する裏面１ＲＳを有する。ゴムシート１は、歯と同色の白色を有している。他方、複数のゴムバンド２は目立たない透明色を有しており、ゴムシート１の裏面１ＲＳ上に結合・配設されている。ゴムシート１及び各ゴムバンド２は、人の歯の厚みよりも薄い。そして、各ゴムバンド２の内面部２ＩＰと、ゴムシート１の裏面１ＲＳの内で当該内面部２ＩＰに対向する部分とで囲まれた領域１２ＳＰは、全体的に間隙部を成している。【選択図】図１
0003191690.tif 000002
【実用新案登録請求の範囲】
【請求項１】
正面視に於いて人の歯が長手方向に配列して成る様に視認される歯型形状の外縁を有する表面と、前記表面に対向する裏面とを備える樹脂シートと、
前記樹脂シートの前記裏面上に配設されている複数の樹脂バンドと
を備えており、
前記複数の樹脂バンドの各々の内面部と、前記樹脂シートの前記裏面の内で当該内面部に対向する部分とで囲まれた領域は全体的に間隙部である
ことを特徴とする、一時的審美回復用具。
【請求項２】
請求項１に記載の一時的審美回復用具であって、
前記樹脂シート及び前記複数の樹脂バンドの各々は、人の口腔内の歯の厚みよりも薄い
ことを特徴とする、一時的審美回復用具。
【請求項３】
請求項１又は２に記載の一時的審美回復用具であって、
前記樹脂シートは白色を有しており、
前記複数の樹脂バンドの各々は透明色を有する
ことを特徴とする、一時的審美回復用具。
【請求項４】
請求項１乃至３の何れか１項に記載の一時的審美回復用具であって、
前記複数の樹脂バンドの各々の前記間隙部の寸法は、当該樹脂バンドが人の口腔内の歯に当該歯の左右の各歯との隙間を介して落下すること無く掛けられて当該樹脂バンドの前記内面部が当該歯の裏面に当接可能な寸法に設定されている
ことを特徴とする、一時的審美回復用具。
【考案の詳細な説明】
【技術分野】
【０００１】
この考案は、人の口腔内の、抜け歯部分（「歯が抜けた部分」であり、以下、単に「抜け歯」という。）等を含む歯の並びの見かけ乃至は外観を改善して、当該人の歯並びの審美を他人に美しいと認識される様に一時的に回復させるための用具の構造に関する。
【背景技術】
【０００２】
歯科医院に於ける虫歯治療により、当該歯の一部が欠けてしまった場合の審美性を、最終的な「かぶせ」（クラウンと呼ばれる。）により改善する前の一時的な回復処置として、「仮歯」が作成されて、虫歯治療を行った歯に設定される。この「仮歯」の作製には、通常、数週間の期間が必要とされる。
【先行技術文献】
【特許文献】
【０００３】
【特許文献１】特開２００７−４４１１１号
【考案の概要】
【考案が解決しようとする課題】
【０００４】
虫歯又は歯槽膿漏に起因して、以前より、ぐらついていた歯が急に抜けてしまう場合がある。或いは、歯が物に衝突する等の事故に起因して、突発的に、当該歯が抜ける、又は当該歯の全部ないしは一部が毀損して欠ける場合がある。更には、全身麻酔で外科手術を行う際に麻酔用の管が口腔内で歯に当たって、当該歯が抜ける、又は当該歯が毀損することも生じ得る。何れの原因にせよ、突発的に歯が抜けてしまう又は毀損して欠けるというアクシデントが起こり得る。
【０００５】
これらの様な一部の歯が急に抜けてしまった場合等に於いて、１）職業上、その様な抜け歯等の存在が、審美上、他人には見られたくない場合がある。例えば、営業活動を行う者が、顧客等の被訪問者と対面する日の訪問時間前（例えば朝方。）に上記の理由等により一部の歯が抜け落ちてしまった場合には、審美性の観点から、斯かる抜け歯を当日の対面相手に見られたくないと考えることは、職業上、自然な心情である。とは言え、一部の歯が抜けた状態の審美を、仮歯によって至急に回復させることは、「仮歯」を製作するための時間的制約から、容易に出来ない。この点は以下の問題点でも同様である。
【０００６】
或いは、２）結婚式等の御めでたい式乃至は歓迎会等の行事への出席・参加の直前に歯が抜け落ちるというアクシデントが発生した場合においては、当該式に出席・参加する者は、審美上、目立ちやすい前歯等の抜け歯の存在を他人に見られたくないものである。
【０００７】
又は、３）突発的ではないけれども、抜け歯を有する人が死亡して葬式を行う場合に、喪主等の家族の者が、葬式に際して故人の口腔内の歯を美しく見せておきたいと考える場合もあり、その場合に、審美上、故人の抜け歯を、棺内の当該故人の顔を見る者には見られたくないと考えることは、自然な心情である。
【０００８】
又は、４）歯が突然に抜け落ちる、或いは、歯の一部が突発的に毀損した場合ではなくとも、歯並びが悪いために、審美上、当該歯並びを他人に一時的に見られたくないと思うことも、その人にとっては自然な心情である。
【０００９】
この考案は、以上の問題点に鑑みて成されたものであり、その主目的乃至は本質的目的は、次の通りである。即ち、本考案の主題は、虫歯等、様々な要因によって急に発生した抜け歯又は損失した歯を他人に見られることなく、換言すれば、審美性の観点から通常は醜いと識別されがちな抜け歯等の存在を他人に知られること無く、その結果、他人の目を気にすることなく、堂々とした態度で以って活動できることを、その主目的とする。それにより、本考案の主題は、急に生じた抜け歯等による歯並びに対する醜さの認識を美感に変えさせるという、審美性の回復を図るものである。
【００１０】
更に、本考案の副次的目的は、葬式に於いて、故人の抜け歯の存在を第三者に知られない様にして棺に収まられた故人の顔を一時的に美しく見せたいと望む喪主等の親族又は生前の故人の希望を一時的にも実現可能として、以って、親族・故人の当該抜け歯に対する認識を美とする審美の判断を一時的に回復させることにある。
【００１１】
或いは、本考案の副次的目的は、歯並びの悪い人が、それぞれの事情に応じた審美の識別から、当該歯並びを他人に見られたくないと思う心情を美の識別の方向へ改善して当該審美性を一時的に回復可能とする点にもある。
【課題を解決するための手段】
【００１２】
本考案の主題に係る一時的審美回復用具は、１）正面視に於いて人の歯が長手方向に配列して成る様に視認される歯型形状の外縁を有する表面と、２）前記表面に対向する裏面とを備える、樹脂シートを備えていることを特徴とする。そして、当該一時的審美回復用具は、前記樹脂シートの前記裏面上に配設されている複数の樹脂バンドを更に備えており、前記複数の樹脂バンドの各々の内面部と、前記樹脂シートの前記裏面の内で当該内面部に対向する部分とで囲まれた領域は全体的に間隙部であることを特徴とする。
【考案の効果】
【００１３】
本考案の主題によれば、弾性を有する各樹脂バンドを対応する歯の裏に掛けることで、一列に並んだ歯の前方に、外縁が歯型形状を成す樹脂シートを配設することが出来る。そのため、人の口腔内の抜け歯の部分又は歯並びの悪い歯等を正面視から見て第三者に見られない様に乃至は気づかれない様に、当該抜け歯部分等を含む歯の見かけ（外観）を改善することが出来る。その結果、本考案の主題に係る一時的審美回復用具は、当該用具の着用者の審美を、着用時間中、抜け歯等が無い場合の審美へと一時的に回復させることが出来る。この点は、急に歯が抜けた場合に、職業柄等、当該抜け歯部分の存在が知られることを嫌う人の審美性の一時的な回復に効果的である。
【００１４】
しかも、一時的審美回復用具の各部は弾性のある樹脂（例えばゴム。）より成るので、１）当該用具の伸縮は自在に可能であって、２）当該用具が人の口腔内で他の歯等と接触しても、当該人には感覚的に判りにくく、３）口腔内の他の部分を損傷させることはなく、４）それ自体を洗い流すことが可能であって、清潔性を保持できると、いう利点も得られる。
【００１５】
以下、本考案の様々な具体化を、添付図面を基に、その効果・利点と共に、詳述する。
【図面の簡単な説明】
【００１６】
【図１】本考案の実施の形態１に係る一時的審美回復用具の平面視構造及び正面視構造を模式的に示す図である。
【図２】図１の一時的審美回復用具を、一部の歯が抜けた上側又は下側の一連の歯に着用した場合に於ける平面視構成及び正面視構成を模式的に示す図である。
【図３】図１の一時的審美回復用具の歯への着用方法を模式的に示すための拡大斜視図である。
【考案を実施するための形態】
【００１７】
（実施の形態１）
＜一時的審美回復用具１０の構造＞
図１（ａ）は、本実施の形態に係る一時的審美回復用具１０の構造を模式的に示す平面図である。又、図１（ｂ）は、一時的審美回復用具１０の構造を模式的に示す正面図であり、図１（ｂ）中の矢印ＡＲから本用具１０を眺めた際の平面視を示す図が、図１（ａ）の平面図に該当する。
【００１８】
一時的審美回復用具１０は、既述した様に、諸因により突然に歯が抜けた場合に、見た目には醜いと思われがちな「抜け歯」に対する審美の識別により、当該抜け歯を他人に知られたくないと思う人の突発的に生じる困惑を、本用具１０を着用している間に限って、一時的に、当該抜け歯が生じていないときの良好な美感に回復させる用具、即ち、審美性の回復を図る用具である。
【００１９】
図１（ａ）及び図１（ｂ）に於いて、一時的審美回復用具１０は、１）本用具１０の本体であるゴムシート１と、２）複数のゴムバンド２とより成る。ここで、ゴムシート１及び複数のゴムバンド２の各々は、人の口腔内の歯の厚みよりも薄い。この厚み関係の寸法設定により、ゴムシート１及び各ゴムバンド２は、見かけ上、当該歯とより一層に溶け込んだ状態となり、外部からはそれらの存在が認識され難い構成要素となる。
【００２０】
ゴムシート１は、その材質が「樹脂」たるゴムであることから、ａ）所定の許容範囲内での伸縮性を備えており、その延在方向に微調整可能であり、しかも、歯磨き用の糸とは異なり、ｂ）本装置１０の使用頻度によっても菌が当該シート１に繁殖することは無いものであり、衛生面で好ましい構成要素である。そして、ゴムシート１は、１）恰も人の歯がその長手方向に順次に配列して成る様に視認される歯型形状の外縁を有する表面１ＳＳと、２）表面１ＳＳに対向する裏面１ＲＳとを有する樹脂シートである。
【００２１】
このゴムシート１の外縁の「歯型形状」は、平均的な人の歯の正面視に於ける形状（歯型）に対応して成形される。そのため、正面視において、ゴムシート１は、その着用時に、実際の歯の並びと等価な歯並びの審美性を奏する。
【００２２】
そして、ゴムシート１は、汚れの無い自然な歯の色と同様の「白色」を帯びたゴムである。この色彩の設定により、外部から見て、外観上、ゴムシート１は、当該シート１によって被覆される歯と同化されることになる。人の口腔内の歯の長さ寸法としては、大要、３つのグループに分類されるので、当該分類に応じて、ゴムシート１の長手方向の長さも、各グループの長さに応じて設定されていれば便利である。
【００２３】
他方、複数のゴムバンド２は、ゴムシート１の裏面１ＲＳ上に、所定の間隔を空けて一列に配設する様に、結合されている。その「所定の間隔」は、本装置１０が装着される、一列に並んだ複数本の歯に於ける隣り合う歯の間隙の寸法に対応している。特に、本実施の形態では、好ましい例として、各ゴムバンド２は、目立たない透明色を有するゴムより成り、しかも、許容範囲内で伸縮し得る微調整可能なバンドである。勿論、複数のゴムバンド２の色は、当該ゴムバンドが本装置１０の着用時には外部から見え難い部分であることから、ゴムシート１の色と同一又は異なる色彩を帯びていても良い。ここで、各ゴムバンド２の作用ないしは機能は、ゴムシート１を口腔内の上側に又は下側に並んだ複数の歯の前方に配置させるために、本用具１０を歯茎に繋がった歯に取り付ける点にある。
【００２４】
そして、図１（ａ）に例示される通り、各ゴムバンド２の内面部２ＩＰと、ゴムシート１の裏面１ＲＳの内で当該内面部２ＩＰに対向する部分１ＲＰとで囲まれた領域１２ＳＰは、全体的に間隙部である。本用具１０の使用例で後述する様に、この間隙部１２ＳＰ内に個々の歯が挿入されて、当該歯の裏面部が対応するゴムバンド２の内面部２ＩＰからの押圧を受けることで、ゴムシート１は一列に並んだ複数の歯の直前方に落下することなく配設される。
【００２５】
尚、図１（ａ）及び図１（ｂ）では、複数のゴムバンド２の一例として、９個のゴムバンド２が歯の配列方向に沿って裏面１ＲＳ上に結合・配設されているが、ゴムバンド２の数としては、少なくとも２個であれば良い。この最少の「２個のゴムバンド２」の場合には、３本の並んだ歯の内の真ん中部分の歯が抜けた状態となり、その両サイドの歯茎に埋まった歯に対応して２個のゴムバンド２が結合・配設されることとなる。斯かる場合には、後述する使用例の記載の様に、裏面１ＲＳ側のゴムバンド２の内で、抜け歯に該当する位置に配設されているゴムバンドを人が切除する作業は、不要となる。それに対して、「３個の並んだゴムバンド２」の場合には、真ん中の、歯が抜けた部分に該当するゴムバンド２は、本装置１０の着用前に予め切除されることとなる。勿論、認識され難いならば、該部分を切除しなくても良い。
【００２６】
以上の通り、各ゴムバンド２の間隙部１２ＳＰの寸法は、当該ゴムバンド２が人の口腔内の歯に当該歯の左右の各歯との隙間を介して落下すること無く掛けられて当該ゴムバンドの内面部２ＩＰが当該歯の裏面に当接可能な寸法に設定されている。
【００２７】
＜急に歯が抜けた場合に於ける、一時的審美回復用具１０の使用方法〜審美の回復＞
【００２８】
図２は、上側又は下側の２本の並んだ歯（破線で示す歯Ｔ１，Ｔ２）が急に抜けた場合に於ける「歯並び」の審美を一時的に回復するために図１の装置１０を使用する方法を示す図である。その内、図２（ａ）は、一時的審美回復用具１０（太い実線で示される。）を、歯Ｔ１，Ｔ２が抜けた上側又は下側の一連の歯Ｔに着用した場合に於ける平面視構成を模式的に示す図であり、図２（ｂ）は、図２（ａ）に対応した正面視構成を示す図である。尚、図２（ｂ）に於いては、図示の便宜上、正面視としては本来的に視認され得ない９個のゴムバンド２及びその前方がゴムシート１により覆われている各歯Ｔの部分が、各々、破線及び実線にて表示されている。加えて、歯茎Ｇは、図示の便宜上、ハッチング表示されている。そして、図２（ａ）及び図２（ｂ）中、抜けた歯Ｔ１，Ｔ２以外の歯Ｔは、その端部が歯茎Ｇ内に挿入されて歯茎Ｇで支持されている歯（非抜け歯。）である。
【００２９】
又、図３は、一時的審美回復用具１０の非抜け歯Ｔへの着用方法を模式的に示すための拡大斜視図である。尚、図３に於いては、記載の便宜上、一連に並んだ９本の歯Ｔの内で、抜けた歯Ｔ１，Ｔ２を除く７本の歯Ｔの内の一本の歯Ｔに、配設位置の上で対応するゴムバンド２を当該歯Ｔの裏面側に掛ける状態が示されている。この図３に於いても、図示の便宜上、本来的にはゴムシート１で被覆される歯Ｔの部分は実線にて示されている。
【００３０】
先ず、図１で示される９個のゴムバンド２の内で、図２（ａ）に示される抜けた歯Ｔ１，Ｔ２に対応する２個のゴムバンド２Ｃ１，２Ｃ２を、着用者はハサミ等の道具で切断・除去する。
【００３１】
その上で、図２（ａ）及び図３に示される通り、残った７個の各ゴムバンド２を、１個ずつ順次に、対応する非抜け歯Ｔに引っ掛けていく。その際に、各ゴムバンド２の裏面１ＲＳ近傍のサイド部分を当該歯Ｔの両サイドの隣り合う歯同士の各隙間に通して、当該ゴムバンド２の内面部２ＩＰを、対応する歯の裏面ＴＲＳ側に回し込んで当該ゴムバンド２を手放すことで、当該ゴムバンド２の内面部２ＩＰを歯の裏面ＴＲＳに当接させる。その際、ゴムバンド２は伸縮性のゴムより成るので、その伸縮性が利用されて、各ゴムバンド２は歯Ｔの裏面ＴＲＳにセットされる。又、ゴムシート１自身も伸縮性のあるゴムより成るので、このゴムシート１自体の伸縮性を利用して、各人の歯の寸法に合わせる態様にて、ゴムシート１の設定時の長手方向の寸法の微調整が可能である。
【００３２】
これらの一連の作業の完了により、各ゴムバンド２は、対応する歯Ｔに引っ掛けられる態様で留められ、各ゴムバンド２の縮小しようとする作用を介して歯Ｔの裏面ＴＲＳに対して押圧を印可する。これらの各ゴムバンド２の押圧により、図２（ａ）及び図２（ｂ）に例示される様に、一時的審美回復用具１０は口腔内の歯Ｔに装着される。その結果、図２（ｂ）より理解される通り、７本の歯Ｔの各々の表面は、その前方に近接配設されているゴムシート１により正面視に於いて被覆されることとなり、その結果、抜けた歯Ｔ１，Ｔ２の部分もゴムシート１本体により被覆されてしまい、外部から視認されにくくなる。しかも、ゴムシート１は、上記の外縁形状と、本来的な歯の色と同色の白色の色彩とを有するため、ゴムシート１が一列に並んだ歯Ｔに恰も実際の「歯」として溶け込んだ状態となり、より一層に、外部から歯Ｔ１，Ｔ２が抜けた状態が視認され難くなる。即ち、抜け歯Ｔ１，Ｔ２を含む歯Ｔの歯並びの見かけ乃至は外観が格段に改善されて、歯Ｔ１，Ｔ２が抜けた部分の外観は外部からは視認され難くなって、一時的に他人により認識される当該人の口腔内の歯並びの審美が回復される（歯並びが美しいと識別されることになる。）。
【００３３】
＜変形例１＞
実施の形態１に記載した一時的審美回復用具１０の装着によって、図２（ｂ）に破線で例示されている、歯並びを悪くしている歯Ｔ３の存在を外部からは認識し難くして、この場合にも、同様に、一時的に歯並びの審美性を回復させることも可能である。
【００３４】
＜変形例２＞
実施の形態１に係る一時的審美回復用具１０の装着によって、突発的に歯が損傷して欠けた場合の歯並びに対する審美性の一時的回復に対しても、本用具１０を適用することが可能であることは、明白である。
【００３５】
以上の通り、本実施の形態に係る一時的審美回復用具１０は、１）突発的に歯が抜けた場合、又は、歯が欠けた場合、２）歯並びを悪くしている歯が存在している場合、及び、３）葬式に於いて棺に納められている故人の口腔内の抜け歯を見えなくしたい場合、の何れに於いても、歯並びの外観・見かけに対する「審美性」を一時的ではあるが確実に回復させることが出来る。
【００３６】
加えて、一時的審美回復用具１０に於いては、本用具１０の各部１，２は何れも弾性のある柔らかな「ゴム」より成るので、１）当該用具１０の伸縮は自在に可能であって、２）当該用具１０の各部が人の口腔内で他の歯等と接触しても、当該人には感覚的に判りにくく、３）当該用具１０の各部が口腔内の他の部分を損傷させることはなく、４）当該用具１０自体を洗い流すことが可能であって、清潔性を保持できると、いう利点も得られる。
【００３７】
＜変形例３＞
本用具１０のゴムシート１及びゴムバンド２の各々を、ゴムに代えて、その他の伸縮自在な弾性のある樹脂（例えば合成樹脂。）で構成することも可能である。その意味で、参照符号１のシートは弾性のある「樹脂シート」であり、参照符号２の各バンドは弾性のある「各樹脂バンド」である。
【００３８】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【００３９】
例えば、一時的審美回復用具１０のゴムシート１の正面視に於ける外縁形状を、歯型形状に代えて、長方形の凹凸の無い長辺形状又は凸状を成す長辺形状等（これらの形状を「略長方形形状」と総称する。）に設定することとしても良い。この様な変形に於いても、正面視に於いて被覆すべき歯に対して部分的ではあるけれども、一時的な審美性の回復に寄与し得る。
【産業上の利用可能性】
【００４０】
本考案に係る一時的審美回復用具は、人の口腔内の歯の内で、主として抜け歯、又は、事故等の損傷により欠けた歯、虫歯治療後の歯の外観ないしは見かけを改善して当該人の歯並びの審美を一時的に回復させるために使用する場合に、好適なものである。
【符号の説明】
【００４１】
１          ゴムシート（樹脂シート）
１ＳＳ      表面
１ＲＳ      裏面
２          ゴムバンド（樹脂バンド）
１２ＳＰ    間隙部
１０        一時的審美回復用具
Ｔ          歯
Ｔ１，Ｔ２  抜けた歯
【図１】
0003191690.tif 000003
【図２】
0003191690.tif 000004
【図３】
0003191690.tif 000005